(57)【要約】【課題】複数台の貨幣処理親機で貨幣処理子機を共用する場合の制御を容易化することが可能な貨幣処理システム、貨幣処理親機、貨幣処理子機および貨幣処理方法を提供する。【解決手段】移動可能な貨幣処理子機４と、貨幣処理子機４に貨幣処理データを送信する複数の貨幣処理親機２と、貨幣処理子機４が複数の貨幣処理親機２のうちのいずれに近いかを判定する遠近判定手段を備え、貨幣処理子機４は、複数の貨幣処理親機２のうち、遠近判定手段の判定結果から近いと判定された近接側の貨幣処理親機２から送信された貨幣処理データに基づいて貨幣処理が可能となる。【選択図】図１
2017138706.tif 000002
【特許請求の範囲】
【請求項１】
移動可能な貨幣処理子機と、
該貨幣処理子機に貨幣処理データを送信する複数の貨幣処理親機と、
前記貨幣処理子機が前記複数の貨幣処理親機のうちのいずれに近いかを判定する遠近判定手段とを備え、
前記貨幣処理子機は、前記複数の貨幣処理親機のうち、前記遠近判定手段の判定結果から近いと判定された近接側の貨幣処理親機から送信された貨幣処理データに基づいて貨幣処理が可能となることを特徴とする貨幣処理システム。
【請求項２】
前記近接側の貨幣処理親機は、貨幣処理データを、前記遠近判定手段の判定結果から前記貨幣処理子機から遠いと判定された遠隔側の貨幣処理親機から受信して前記貨幣処理子機に送信可能であることを特徴とする請求項１記載の貨幣処理システム。
【請求項３】
前記貨幣処理子機は、前記複数の貨幣処理親機のうち、前記遠近判定手段の判定結果から遠いと判定された遠隔側の貨幣処理親機から送信された貨幣処理データを受け付けず、
前記遠隔側の貨幣処理親機は、前記貨幣処理子機で受け付けられなかった貨幣処理データを、記憶手段に記憶し、前記遠近判定手段によって前記近接側の貨幣処理親機に変わったと判定されると前記記憶手段から読み出して前記貨幣処理子機に再送信することを特徴とする請求項１または２記載の貨幣処理システム。
【請求項４】
前記貨幣処理子機は、前記複数の貨幣処理親機のうち、前記遠近判定手段の判定結果から遠いと判定された遠隔側の貨幣処理親機から送信された貨幣処理データを、記憶手段に記憶し、当該遠隔側の貨幣処理親機が、前記遠近判定手段によって前記近接側の貨幣処理親機に変わったと判定されると、前記記憶手段から読み出すことを特徴とする請求項１または２記載の貨幣処理システム。
【請求項５】
移動可能な貨幣処理子機と、
該貨幣処理子機に貨幣処理データを送信する複数の貨幣処理親機と、
前記貨幣処理子機が前記複数の貨幣処理親機のうちのいずれに近いかを判定する遠近判定手段と、を有し、
前記貨幣処理子機は、前記複数の貨幣処理親機のうち、前記遠近判定手段の判定結果から近いと判定された近接側の貨幣処理親機から送信された貨幣処理データに基づいて貨幣処理が可能となる貨幣処理システムの前記貨幣処理親機であって、
前記遠近判定手段によって前記貨幣処理子機に対し前記近接側の貨幣処理親機であると判定されると、貨幣処理データを、前記遠近判定手段によって前記貨幣処理子機から遠いと判定された遠隔側の貨幣処理親機から受信して前記貨幣処理子機に送信可能であることを特徴とする貨幣処理親機。
【請求項６】
移動可能な貨幣処理子機と、
該貨幣処理子機に貨幣処理データを送信する複数の貨幣処理親機と、
前記貨幣処理子機が前記複数の貨幣処理親機のうちのいずれに近いかを判定する遠近判定手段と、を有し、
前記貨幣処理子機は、前記複数の貨幣処理親機のうち、前記遠近判定手段の判定結果から近いと判定された近接側の貨幣処理親機から送信された貨幣処理データに基づいて貨幣処理が可能となる貨幣処理システムの前記貨幣処理親機であって、
前記遠近判定手段によって前記貨幣処理子機から遠い遠隔側の貨幣処理親機と判定されることにより前記貨幣処理子機で受け付けられなかった貨幣処理データを、記憶手段に記憶し、前記遠近判定手段によって前記近接側の貨幣処理親機に変わったと判定されると前記記憶手段から読み出して前記貨幣処理子機に再送信することを特徴とする貨幣処理親機。
【請求項７】
移動可能な貨幣処理子機と、
該貨幣処理子機に貨幣処理データを送信する複数の貨幣処理親機と、
前記貨幣処理子機が前記複数の貨幣処理親機のうちのいずれに近いかを判定する遠近判定手段と、を有する貨幣処理システムの前記貨幣処理子機であって、
前記複数の貨幣処理親機のうち、前記遠近判定手段の判定結果から近いと判定された近接側の貨幣処理親機から送信された貨幣処理データに基づいて貨幣処理が可能となることを特徴とする貨幣処理子機。
【請求項８】
前記複数の貨幣処理親機のうち、前記遠近判定手段の判定結果から遠いと判定された遠隔側の貨幣処理親機から送信された貨幣処理データを、記憶手段に記憶し、当該遠隔側の貨幣処理親機が、前記遠近判定手段によって前記近接側の貨幣処理親機に変わったと判定されると、前記記憶手段から読み出すことを特徴とする請求項７記載の貨幣処理子機。
【請求項９】
移動可能な貨幣処理子機と、
該貨幣処理子機に貨幣処理データを送信する複数の貨幣処理親機と、
を有する貨幣処理システムを用いた貨幣処理方法であって、
前記貨幣処理子機が前記複数の貨幣処理親機のうちのいずれに近いかを判定する遠近判定処理と、
前記複数の貨幣処理親機のうち、前記遠近判定処理の判定結果から前記貨幣処理子機に近いと判定された近接側の貨幣処理親機から送信された貨幣処理データに基づいて当該貨幣処理子機に貨幣処理とを行わせることを特徴とする貨幣処理方法。
【請求項１０】
前記近接側の貨幣処理親機によって、貨幣処理データを、前記遠近判定処理の判定結果から前記貨幣処理子機から遠いと判定された遠隔側の貨幣処理親機から受信させ、前記貨幣処理子機に送信させることを特徴とする請求項９記載の貨幣処理方法。
【請求項１１】
前記複数の貨幣処理親機のうち、前記遠近判定処理の判定結果から遠いと判定された遠隔側の貨幣処理親機から送信された貨幣処理データを、保留し、当該遠隔側の貨幣処理親機が、前記遠近判定処理によって前記近接側の貨幣処理親機に変わったと判定されると、処理可能とすることを特徴とする請求項９または１０記載の貨幣処理方法。
【発明の詳細な説明】
【技術分野】
【０００１】
本発明は、貨幣処理システム、貨幣処理親機、貨幣処理子機および貨幣処理方法に関する。
【背景技術】
【０００２】
小束紙幣および棒金を収納し保管する現金管理装置を出納機と通信可能に接続したシステムがある。出納機と現金管理装置との関係は、出納機が貨幣処理親機となり、現金管理装置が貨幣処理子機となって、貨幣処理親機からの貨幣処理データに基づいて貨幣処理子機が動作するようになっている（例えば特許文献１参照）。
【先行技術文献】
【特許文献】
【０００３】
【特許文献１】特開２０１５−１９１４８６号公報
【発明の概要】
【発明が解決しようとする課題】
【０００４】
ところで、複数台の貨幣処理親機で貨幣処理子機を共用することを考えた場合、貨幣処理子機をいずれの貨幣処理親機からの貨幣処理データで動作させるかの制御が煩雑になる可能性がある。
【０００５】
本発明は、上記の点に鑑みなされたもので、複数台の貨幣処理親機で貨幣処理子機を共用する場合の制御を容易化することが可能な貨幣処理システム、貨幣処理親機、貨幣処理子機および貨幣処理方法の提供を目的とする。
【課題を解決するための手段】
【０００６】
上記目的を達成するために、本発明に係る第１の態様は、移動可能な貨幣処理子機と、該貨幣処理子機に貨幣処理データを送信する複数の貨幣処理親機と、前記貨幣処理子機が前記複数の貨幣処理親機のうちのいずれに近いかを判定する遠近判定手段とを備え、前記貨幣処理子機は、前記複数の貨幣処理親機のうち、前記遠近判定手段の判定結果から近いと判定された近接側の貨幣処理親機から送信された貨幣処理データに基づいて貨幣処理が可能となることを特徴とする。
【０００７】
上記第１の態様によれば、遠近判定手段は、貨幣処理子機が複数台の貨幣処理親機のうちのいずれに近いかを判定することになり、貨幣処理子機は、複数台の貨幣処理親機のうち、遠近判定手段の判定結果から近いと判定された近接側の貨幣処理親機から送信された貨幣処理データに基づいて貨幣処理が可能となる。つまり、複数台の貨幣処理親機で一台の貨幣処理子機を共用する場合に、貨幣処理子機を近接側の貨幣処理親機からの貨幣処理データで動作させることになる。よって、複数台の貨幣処理親機で一台の貨幣処理子機を共用する場合に、貨幣処理子機をいずれの貨幣処理親機からの貨幣処理データで動作させるかの制御が容易となる。
【０００８】
本発明に係る第２の態様は、第１の態様において、前記近接側の貨幣処理親機は、貨幣処理データを、前記遠近判定手段の判定結果から前記貨幣処理子機から遠いと判定された遠隔側の貨幣処理親機から受信して前記貨幣処理子機に送信可能であることを特徴とする。
【０００９】
上記第２の態様によれば、近接側の貨幣処理親機が、貨幣処理データを遠隔側の貨幣処理親機から受信して貨幣処理子機に送信する。すると、貨幣処理子機は、この貨幣処理データに基づいて貨幣処理が可能となる。よって、近接側の貨幣処理親機を用いれば、遠隔側の貨幣処理親機からの貨幣処理データに基づく貨幣処理が貨幣処理子機で可能となる。
【００１０】
本発明に係る第３の態様は、第１または第２の態様において、前記貨幣処理子機は、前記複数の貨幣処理親機のうち、前記遠近判定手段の判定結果から遠いと判定された遠隔側の貨幣処理親機から送信された貨幣処理データを受け付けず、前記遠隔側の貨幣処理親機は、前記貨幣処理子機で受け付けられなかった貨幣処理データを、記憶手段に記憶し、前記遠近判定手段によって前記近接側の貨幣処理親機に変わったと判定されると前記記憶手段から読み出して前記貨幣処理子機に再送信することを特徴とする。
【００１１】
上記第３の態様によれば、貨幣処理子機は、遠隔側の貨幣処理親機から送信された貨幣処理データを受け付けないものの、遠隔側の貨幣処理親機は、貨幣処理子機で受け付けられなかった貨幣処理データを、記憶手段に記憶し、遠近判定手段によって近接側の貨幣処理親機に変わったと判定されると、記憶手段から読み出して貨幣処理子機に再送信する。すると、貨幣処理子機は、この貨幣処理データに基づいて貨幣処理が可能となる。よって、貨幣処理子機を移動させ、遠隔側にあった貨幣処理親機に近接させて、これを近接側の貨幣処理親機に変えることにより、当初遠隔側であった貨幣処理親機からの貨幣処理データに基づく貨幣処理が貨幣処理子機で可能となる。
【００１２】
本発明に係る第４の態様は、第１または第２の態様において、前記貨幣処理子機は、前記複数の貨幣処理親機のうち、前記遠近判定手段の判定結果から遠いと判定された遠隔側の貨幣処理親機から送信された貨幣処理データを、記憶手段に記憶し、当該遠隔側の貨幣処理親機が、前記遠近判定手段によって前記近接側の貨幣処理親機に変わったと判定されると、前記記憶手段から読み出すことを特徴とする。
【００１３】
上記第４の態様によれば、貨幣処理子機は、遠隔側の貨幣処理親機から送信された貨幣処理データに基づいて貨幣処理は可能にはならないものの、この貨幣処理データを記憶手段に記憶する。そして、貨幣処理子機は、移動させられることにより、遠隔側の貨幣処理親機が近接側の貨幣処理親機に変わると、記憶手段に記憶していた貨幣処理データを読み出し、これに基づいて貨幣処理が可能となる。よって、貨幣処理子機を移動させ、遠隔側にあった貨幣処理親機に近接させて、これを近接側の貨幣処理親機に変えることにより、当初遠隔側であった貨幣処理親機からの貨幣処理データに基づく貨幣処理が貨幣処理子機で可能となる。
【００１４】
本発明に係る第５の態様は、移動可能な貨幣処理子機と、該貨幣処理子機に貨幣処理データを送信する複数の貨幣処理親機と、前記貨幣処理子機が前記複数の貨幣処理親機のうちのいずれに近いかを判定する遠近判定手段と、を有し、前記貨幣処理子機は、前記複数の貨幣処理親機のうち、前記遠近判定手段の判定結果から近いと判定された近接側の貨幣処理親機から送信された貨幣処理データに基づいて貨幣処理が可能となる貨幣処理システムの前記貨幣処理親機であって、前記遠近判定手段によって前記貨幣処理子機に対し前記近接側の貨幣処理親機であると判定されると、貨幣処理データを、前記遠近判定手段によって前記貨幣処理子機から遠いと判定された遠隔側の貨幣処理親機から受信して前記貨幣処理子機に送信可能であることを特徴とする。
【００１５】
上記第５の態様によれば、貨幣処理親機として動作可能であり、貨幣処理子機に対し、近接側の貨幣処理親機となっている場合に、貨幣処理データを送信する。すると、貨幣処理子機は、この貨幣処理データに基づいて貨幣処理が可能となる。よって、複数台の貨幣処理親機で一台の貨幣処理子機を共用する場合に、貨幣処理子機をいずれの貨幣処理親機からの貨幣処理データで動作させるかの制御が容易となる。また、貨幣処理子機に対し、近接側の貨幣処理親機となっている場合に、遠隔側の貨幣処理親機からの貨幣処理データを受信して貨幣処理子機に送信する。すると、貨幣処理子機は、この貨幣処理データに基づいて貨幣処理が可能となる。よって、近接側の貨幣処理親機となっている場合に、遠隔側の貨幣処理親機からの貨幣処理データに基づく貨幣処理を貨幣処理子機に行わせることが可能となる。
【００１６】
本発明に係る第６の態様は、移動可能な貨幣処理子機と、該貨幣処理子機に貨幣処理データを送信する複数の貨幣処理親機と、前記貨幣処理子機が前記複数の貨幣処理親機のうちのいずれに近いかを判定する遠近判定手段と、を有し、前記貨幣処理子機は、前記複数の貨幣処理親機のうち、前記遠近判定手段の判定結果から近いと判定された近接側の貨幣処理親機から送信された貨幣処理データに基づいて貨幣処理が可能となる貨幣処理システムの前記貨幣処理親機であって、前記遠近判定手段によって前記貨幣処理子機から遠い遠隔側の貨幣処理親機と判定されることにより前記貨幣処理子機で受け付けられなかった貨幣処理データを、記憶手段に記憶し、前記遠近判定手段によって前記近接側の貨幣処理親機に変わったと判定されると前記記憶手段から読み出して前記貨幣処理子機に再送信することを特徴とする。
【００１７】
上記第６の態様によれば、貨幣処理親機として動作可能であり、貨幣処理子機に対し、近接側の貨幣処理親機となっている場合に、貨幣処理データを送信する。すると、貨幣処理子機は、この貨幣処理データに基づいて貨幣処理が可能となる。よって、複数台の貨幣処理親機で一台の貨幣処理子機を共用する場合に、貨幣処理子機をいずれの貨幣処理親機からの貨幣処理データで動作させるかの制御が容易となる。また、貨幣処理子機に対し、遠隔側の貨幣処理親機となっている場合に、貨幣処理子機で受け付けられなかった貨幣処理データを、記憶手段に記憶し、遠近判定手段によって近接側の貨幣処理親機に変わったと判定されると、記憶手段から読み出して貨幣処理子機に再送信する。すると、貨幣処理子機は、この貨幣処理データに基づいて貨幣処理が可能となる。よって、遠隔側の貨幣処理親機となっている場合に、貨幣処理子機に対し、貨幣処理子機の移動で近接側の貨幣処理親機に変えられることにより、その貨幣処理データに基づく貨幣処理を貨幣処理子機に行わせることが可能となる。
【００１８】
本発明に係る第７の態様は、移動可能な貨幣処理子機と、該貨幣処理子機に貨幣処理データを送信する複数の貨幣処理親機と、前記貨幣処理子機が前記複数の貨幣処理親機のうちのいずれに近いかを判定する遠近判定手段と、を有する貨幣処理システムの前記貨幣処理子機であって、前記複数の貨幣処理親機のうち、前記遠近判定手段の判定結果から近いと判定された近接側の貨幣処理親機から送信された貨幣処理データに基づいて貨幣処理が可能となることを特徴とする。
【００１９】
上記第７の態様によれば、貨幣処理子機として動作可能であり、複数台の貨幣処理親機に対して、近接側の貨幣処理親機から送信された貨幣処理データに基づいて貨幣処理が可能となる。よって、複数台の貨幣処理親機で一台が共用される場合に、いずれの貨幣処理親機からの貨幣処理データで動作させられるのかの制御が容易となる。
【００２０】
本発明に係る第８の態様は、第７の態様において、前記複数の貨幣処理親機のうち、前記遠近判定手段の判定結果から遠いと判定された遠隔側の貨幣処理親機から送信された貨幣処理データを、記憶手段に記憶し、当該遠隔側の貨幣処理親機が、前記遠近判定手段によって前記近接側の貨幣処理親機に変わったと判定されると、前記記憶手段から読み出すことを特徴とする。
【００２１】
上記第８の態様によれば、遠隔側の貨幣処理親機から送信された貨幣処理データに基づいて貨幣処理は可能にはならないものの、この貨幣処理データを記憶手段に記憶する。そして、移動させられることにより、遠隔側の貨幣処理親機が近接側の貨幣処理親機に変わると、記憶手段に記憶していた貨幣処理データを読み出し、これに基づいて貨幣処理が可能となる。よって、移動させられることにより、遠隔側にあった貨幣処理親機に近接させられて、これが近接側の貨幣処理親機に変わることにより、当初遠隔側であった貨幣処理親機からの貨幣処理データに基づく貨幣処理が可能となる。
【００２２】
本発明に係る第９の態様は、移動可能な貨幣処理子機と、該貨幣処理子機に貨幣処理データを送信する複数の貨幣処理親機と、を有する貨幣処理システムを用いた貨幣処理方法であって、前記貨幣処理子機が前記複数の貨幣処理親機のうちのいずれに近いかを判定する遠近判定処理と、前記複数の貨幣処理親機のうち、前記遠近判定処理の判定結果から前記貨幣処理子機に近いと判定された近接側の貨幣処理親機から送信された貨幣処理データに基づいて当該貨幣処理子機に貨幣処理とを行わせることを特徴とする。
【００２３】
上記第９の態様によれば、近接側の貨幣処理親機から送信された貨幣処理データに基づいて貨幣処理子機に貨幣処理を行わせる。つまり、複数台の貨幣処理親機で一台の貨幣処理子機を共用する場合に、貨幣処理子機を近接側の貨幣処理親機からの貨幣処理データで動作させることになる。よって、複数台の貨幣処理親機で一台の貨幣処理子機を共用する場合に、貨幣処理子機をいずれの貨幣処理親機からの貨幣処理データで動作させるかの制御が容易となる。
【００２４】
本発明に係る第１０の態様は、第９の態様において、前記近接側の貨幣処理親機によって、貨幣処理データを、前記遠近判定処理の判定結果から前記貨幣処理子機から遠いと判定された遠隔側の貨幣処理親機から受信させ、前記貨幣処理子機に送信させることを特徴とする。
【００２５】
上記第１０の態様によれば、近接側の貨幣処理親機によって、貨幣処理データを、遠隔側の貨幣処理親機から受信させ、貨幣処理子機に送信させる。すると、貨幣処理子機は、この貨幣処理データに基づいて貨幣処理が可能となる。よって、近接側の貨幣処理親機を用いれば、遠隔側の貨幣処理親機からの貨幣処理データに基づく貨幣処理が貨幣処理子機で可能となる。
【００２６】
本発明に係る第１１の態様は、第９または第１０の態様において、前記複数の貨幣処理親機のうち、前記遠近判定処理の判定結果から遠いと判定された遠隔側の貨幣処理親機から送信された貨幣処理データを、保留し、当該遠隔側の貨幣処理親機が、前記遠近判定処理によって前記近接側の貨幣処理親機に変わったと判定されると、処理可能とすることを特徴とする。
【００２７】
上記第１１の態様によれば、遠隔側の貨幣処理親機から送信された貨幣処理データを、保留し、この遠隔側の貨幣処理親機が近接側の貨幣処理親機に変わると、処理可能とする。よって、貨幣処理子機を移動させ、遠隔側にあった貨幣処理親機に近接させて、これを近接側の貨幣処理親機に変えることにより、当初遠隔側であった貨幣処理親機からの貨幣処理データに基づく貨幣処理が貨幣処理子機で可能となる。
【発明の効果】
【００２８】
本発明によれば、複数台の貨幣処理親機で貨幣処理子機を共用する場合の制御を容易化することが可能な貨幣処理システム、貨幣処理親機、貨幣処理子機および貨幣処理方法を提供することができる。
【図面の簡単な説明】
【００２９】
【図１】本発明の実施形態に係る貨幣処理システムを示す構成図である。
【図２】本発明の実施形態に係る貨幣処理システムを示すブロック図である。
【図３】本発明の実施形態に係る貨幣処理システムの現金管理装置を示す斜視図である。
【図４】本発明の実施形態に係る貨幣処理システムの現金管理装置を構成する束紙幣収納庫を示す斜視図である。
【図５】本発明の実施形態に係る貨幣処理システムの現金管理装置を構成する棒金収納庫を示す斜視図である。
【図６】本発明の実施形態に係る貨幣処理システムの在高の管理形態を説明するための図である。
【発明を実施するための形態】
【００３０】
［第１実施形態］
本発明の第１実施形態に係る貨幣処理システムを図面を参照して以下に説明する。
【００３１】
第１実施形態に係る貨幣処理システム１は、銀行等の金融機関の店舗に設置されるものであり、図１に示すように、複数の出納機２と、現金管理装置４と、を有している。
【００３２】
現金管理装置４は、移動可能であって貨幣処理としての入庫および出庫が可能な貨幣入出庫装置として使用される。貨幣処理システム１は、図示は略すが、現金管理装置４から出庫された貨幣の受け渡し先および現金管理装置４に入庫される貨幣の受け渡し元となる貨幣処理機器を有している。ここで、現金管理装置４で入庫および出庫される貨幣の受け渡しの対象となる貨幣処理機器としては、顧客用の両替機や、テラー用の窓口機、顧客用の現金自動預払機等がある。
【００３３】
複数の出納機２は、それぞれ、金融機関等の店舗の建屋の例えば執務室のフロア上に位置固定となるように設置されるものであり、店舗全体の貨幣類の在高を管理すると共に、現金管理装置４の貨幣処理を制御する貨幣処理親機として動作可能になっている。出納機２は、貨幣の入出金処理が可能な貨幣処理装置であり、自身に収納している貨幣および小切手等の在高である機械在高を記憶している。この機械在高は、出納機２で行われる貨幣の入出金処理によって増減する。
【００３４】
各出納機２には、ＲＦＩＤ等の非接触ＩＣチップを搭載した図２に示すＩＣタグ８が設けられている。ＩＣタグ８には、他との識別のために個別に設定された出納機ＩＤが記憶されている。複数の出納機２は、無線ＬＡＮあるいは有線ＬＡＮ等のネットワークで互いに接続されて通信可能となっている。
【００３５】
現金管理装置４は、フロアを走行移動可能であり、図示略の他の貨幣処理機器と共に出納機２によって在高が管理される下位機としての貨幣処理子機となっている。現金管理装置４は、貨幣の入出庫処理が可能な貨幣処理装置であり、貨幣および小切手等を取り出し可能に収納し自身に収納している貨幣および小切手等の在高を記憶している。この在高は、現金管理装置４における貨幣の入出庫処理によって増減する。現金管理装置４は、無線ＬＡＮあるいは有線ＬＡＮ等のネットワークで接続されて複数の出納機２のそれぞれと通信可能であり、その在高を複数の出納機２にネットワーク経由で送信可能となっている。
【００３６】
貨幣処理機器は、フロア上に設置されるものであり、貨幣の入出金の計数値から自身に収納している貨幣の在高を記憶している。この在高は、貨幣処理機器における貨幣の装填処理、補充処理、出金処理および回収処理等によって増減し、両替処理によって金種変更する。貨幣処理機器は、無線ＬＡＮあるいは有線ＬＡＮのネットワークで接続されて複数の出納機２のそれぞれと通信可能であり、在高を複数の出納機２にネットワーク経由で送信可能となっている。
【００３７】
現金管理装置４は、図３に示すように、箱型の現金管理装置本体１１とこの現金管理装置本体１１に上下方向に複数段具体的には５段設けられた収納庫１２とを有している。これら収納庫１２は、その左右側壁に設けられた図示略のスライドレールを介して現金管理装置本体１１に対して水平前後方向にスライド開閉可能となっている。これら収納庫１２は、現金管理装置本体１１から引き出されて開状態となり、現金管理装置本体１１に押し込まれて閉状態となる。すべての収納庫１２が、このように前後方向にのみ所定範囲で移動可能となるように現金管理装置本体１１に連結されている。これら収納庫１２は、開状態で現金が出し入れ可能となる一方、閉状態では現金の出し入れが不可となる。現金管理装置４において収納庫１２の引き出し方向の手前側の面が操作者側の装置前面となっている。
【００３８】
複数段の収納庫１２のうち、最も上側のものは、予備収納庫１２（ａ）となっており、結束されていないバラ紙幣、包装されていないバラ硬貨、汚損紙幣や汚損硬貨、新券、小切手等を収納する。また、残りの収納庫１２は、上側２段が小束紙幣や大束紙幣を収納する束紙幣収納庫１２（ｂ）となっており、下側２段が棒金を収納する棒金収納庫１２（ｃ）となっている。勿論、収納庫１２の全体の数や、そのうちの束紙幣収納庫１２（ｂ）および棒金収納庫１２（ｃ）の個々の数、レイアウト等は任意に設定可能であり、例えば、予備収納庫１２（ａ）以外の全てを、束紙幣収納庫１２（ｂ）としたり、棒金収納庫１２（ｃ）としたり、上側２段を棒金収納庫１２（ｃ）とし下側２段を束紙幣収納庫１２（ｂ）とすることも勿論可能である。ただし、現金管理装置４は、人力によりフロア上を走行移動させられることから、予備収納庫１２（ａ）を１段、束紙幣収納庫１２（ｂ）を２段、棒金収納庫１２（ｃ）を２段程度とするのが重量的に好ましい。
【００３９】
現金管理装置本体１１の上部の装置後面側には、現金管理装置４を移動させる際に操作者により把持されるハンドルバー１５が左右方向に延在して取り付けられている。現金管理装置本体１１の上部には、ハンドルバー１５よりも装置前面側に、揺動可能なタッチパネル式の管理装置操作表示部１６が設けられており、管理装置操作表示部１６よりも装置前面側に、管理装置カードリーダ１７と、テンキーを含む着脱式の管理装置キー操作部１８とが設けられている。管理装置操作表示部１６は、操作者により操作入力が行われると共に操作者に表示を行うものであり、現金管理キー操作部１８は、操作者により操作入力が行われるものである。管理装置カードリーダ１７は操作者により通されたＩＤカードから記憶データを読み取るものである。
【００４０】
現金管理装置本体１１の下部には、フロア上で転動するローラ３７を有するキャスタ３８が四隅位置に設けられている。すべてのキャスタ３８は、ローラ３７が鉛直軸を中心に水平旋回自在となっており、ローラ３７が水平軸を中心に回転可能となっている。
【００４１】
現金管理装置本体１１には、全ての収納庫１２のそれぞれに対して、収納庫１２を閉状態で個別にロックする図２に示す収納庫ロック機構２２が設けられている。例えば、収納庫ロック機構２２は、複数の収納庫１２のそれぞれに設けられて収納庫１２を現金管理装置本体１１に閉状態で電磁的にロックする。図３に示すように、現金管理装置本体１１には、複数の収納庫１２のそれぞれの側方に、収納庫ロック機構２２のロック解除時のみ点灯する表示灯２３が設けられている。
【００４２】
現金管理装置本体１１には、図２に示すように、管理装置操作表示部１６、管理装置カードリーダ１７、管理装置キー操作部１８、収納庫ロック機構２２および表示灯２３に接続されてこれらを制御する管理装置制御部２５と、収納しているバラ紙幣、バラ硬貨、棒金、小束紙幣および小切手等のそれぞれの数量情報および種類情報や処理関連のデータ等を記憶する管理装置記憶部２６と、が設けられている。管理装置制御部２５は、複数の収納庫ロック機構２２のロックを個別に解除可能となっており、管理装置記憶部２６を用いて複数の収納庫１２の現金の収納量つまり在高を個別に管理する。
【００４３】
各収納庫１２と現金管理装置本体１１との間には、現金管理装置本体１１に対する各収納庫１２の引き出し位置を検出する引出位置検出機構３５が設けられている。引出位置検出機構３５は、各収納庫１２が現金管理装置本体１１に最も押し込まれた全閉位置にあること、および、収納庫１２が現金管理装置本体１１から最も引き出された全開位置にあることを含んで各収納庫１２の引き出し位置を検出する。
【００４４】
図４に示すように、束紙幣収納庫１２（ｂ）は、結束された小束紙幣Ｔを入出庫可能に収納するもので、複数、具体的には前後に３つ配列された合成樹脂製の小束トレイ４０を有している。小束紙幣Ｔは、単一金種の紙幣（貨幣）を所定枚数（１００枚）集積し、規定位置に結束テープｔを巻回して、この結束テープｔを接着することで形成されるものである。各小束トレイ４０には１０束の小束紙幣Ｔが収納可能であり、１０束の小束紙幣Ｔを結束した大束紙幣を収納することもできる。また、小束トレイ４０の左スペースに後述する棒金トレイを前後に金種径に応じて４つまたは３つ備えるようにしてもよい。
【００４５】
各小束トレイ４０は、上方に開口し下方に凹む形状をなすトレイ本体４１と、トレイ本体４１に、その後壁部４２と平行を維持しつつ前後移動可能に設けられた札押さえ板４３と、札押さえ板４３を後壁部４２に向けて付勢する図示略の付勢部材とを有している。各小束トレイ４０には、小束紙幣Ｔが、その長辺方向を左右にし短辺方向を上下にし厚さ方向を前後にした立位状態で、上方から挿入されることになり、小束紙幣Ｔは、この立位状態のまま、底部に載置され、後壁部４２と札押さえ板４３とに挟持されて収納されることになる。各小束トレイ４０に収納すべき設定金種を示す収納金種データは、予め設定されて管理装置記憶部２６に記憶されることになる。
【００４６】
図５に示すように、棒金収納庫１２（ｃ）は、単一金種の硬貨（貨幣）が所定枚数（５０枚）集積されて包装紙で包装されてなる棒金Ｂを入出庫可能に収納するもので、複数、具体的には、前後に金種径に応じて４つまたは３つ、左右に３列の合成樹脂製の棒金トレイ５０を有している。
【００４７】
棒金トレイ５０は、棒金Ｂが中心軸線を上下にした立位状態で収納されるものである。棒金トレイ５０は、下方に凹む上方開口形状の棒金収納凹部５１を構成している。棒金トレイ５０の棒金収納凹部５１には、例えば、合計１０本の棒金Ｂが５本ずつセパレートで収納されるようになっている。棒金Ｂは、棒金収納凹部５１に、その上部開口を介して上方から挿入されることになる。棒金収納凹部５１に１０本の棒金Ｂが収納されると、１０本の棒金Ｂは棒金収納凹部５１および他の棒金Ｂで支持されて中心軸線を鉛直配置した立位状態に維持される。ここで、最前列の棒金トレイ５０は、端数用となっており、棒金Ｂの転倒防止用の複数の補助棒５２が立設されていて、収納本数が不足した状態でも棒金Ｂを倒さずに収納可能となっている。各棒金トレイ５０に収納すべき設定金種を示す収納金種データは、予め設定されて管理装置記憶部２６に記憶されることになる。
【００４８】
現金管理装置本体１１の各束紙幣収納庫１２（ｂ）が挿入される部分の上部の前端部には、束紙幣収納庫１２（ｂ）の左右２列の小束トレイ４０のそれぞれの上方近接位置に、束紙幣収納庫１２（ｂ）に収納された小束紙幣Ｔの左端位置を検出する図２に示す左端検出ラインセンサ６１、小束紙幣Ｔの左側に結束テープｔつまり帯がある場合にこれを検出する左側帯検出ラインセンサ６２、小束紙幣Ｔの右側に結束テープｔがある場合にこれを検出する右側帯検出ラインセンサ６３および小束紙幣Ｔの右端位置を検出する右端検出ラインセンサ６４が、それぞれ検出素子を左右方向に並べた状態で固定されている。
【００４９】
束紙幣収納庫１２（ｂ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、左端検出ラインセンサ６１、左側帯検出ラインセンサ６２、右側帯検出ラインセンサ６３および右端検出ラインセンサ６４が、この束紙幣収納庫１２（ｂ）に収納された小束紙幣Ｔの上端部の反射光データを取得することになる。
【００５０】
管理装置制御部２５は、引出位置検出機構３５の検出結果と、左端検出ラインセンサ６１、左側帯検出ラインセンサ６２、右側帯検出ラインセンサ６３および右端検出ラインセンサ６４の検出結果とに基づいて束紙幣収納庫１２（ｂ）内の小束紙幣Ｔの数量および金種を取得する。すなわち、管理装置制御部２５は、左側帯検出ラインセンサ６２および右側帯検出ラインセンサ６３の検出結果から帯の数つまり束数を取得し、左端検出ラインセンサ６１および右端検出ラインセンサ６４の検出結果から長さつまり金種を取得する。このようにして、管理装置制御部２５は、各束紙幣収納庫１２（ｂ）内の小束紙幣Ｔの各金種別の束数、合計金額等の在高を管理する。
【００５１】
棒金トレイ５０の各棒金収納位置の底部には、棒金Ｂの有無および材質を検出する磁気センサからなる棒金検出センサ６８がそれぞれ設けられている。管理装置制御部２５は、各棒金検出センサ６８の検出結果から、棒金収納庫１２（ｃ）内の棒金Ｂの数量および金種を取得する。このようにして、管理装置制御部２５は、各棒金収納庫１２（ｃ）内の棒金Ｂの各金種別の本数、合計金額等の在高を管理する。
【００５２】
管理装置制御部２５は、予備収納庫１２（ａ）の在高については、予備収納庫１２（ａ）へのバラ紙幣、バラ硬貨、小切手等の入出庫処理を含む入出取引の際に、管理装置操作表示部１６を介して入力される、バラ紙幣の入庫数、バラ紙幣の出庫数、バラ硬貨の入庫数およびバラ硬貨の出庫数等に基づいて在高を管理する。
【００５３】
また、現金管理装置本体１１には、全ての収納庫１２のそれぞれに対して、収納庫１２を閉状態で個別にロックする上記した収納庫ロック機構２２が設けられている。各収納庫ロック機構２２は、それぞれ、給電されるとロックを解除して対応する収納庫１２を引き出し可能とし開作動を許容する状態となる。また、各収納庫ロック機構２２は、それぞれ、対応する収納庫１２の引き出し後に給電が停止されることになり、その後は、対応する収納庫１２が全閉位置に戻されると収納庫１２を引き出し不可に自動的かつ機械的にロックする。
【００５４】
現金管理装置４には、出納機２のＩＣタグ８に対して、所定距離を越えて離れると通信不可であり、所定距離内に近接すると通信可能となって、通信可能なＩＣタグ８から記憶情報である出納機ＩＤを読み出すタグリーダ７０が設けられている。つまり、タグリーダ７０は近距離無線通信でＩＣタグ８から出納機ＩＤを読み出す。なお、ＩＣタグ８は、必ずしも出納機２の装置自体に付着しなくてもよく、出納機２の設置位置付近の床面等に配置するようにしてもよい。また、ＩＣタグ８とタグリーダ７０との代わりに、出納機ＩＤを含むバーコードと当該バーコードを読み取り可能なバーコードリーダとを用いることもできる。
【００５５】
現金管理装置４は、操作者が、例えば、他の貨幣処理機器に現金を装填したり補充したり、他の貨幣処理機器から現金を回収したり、顧客に現金を出金したり、顧客から預かった現金を収納したりする際等に使用される。つまり、現金管理装置４は、操作者が、バラ硬貨、バラ紙幣、棒金Ｂおよび小束紙幣Ｔのうちの少なくともいずれか一つを現金管理装置４から取り出す出庫時、現金管理装置４にバラ硬貨、バラ紙幣、棒金Ｂおよび小束紙幣Ｔのうちの少なくともいずれか一つを収納する入庫時、および入庫と出庫とを同時並行で行う入庫・出庫時のいずれかからなる入出取引時に使用される。
【００５６】
現金管理装置４で、入出取引を行う場合、入出取引の開始にあたって、管理装置カードリーダ１７にＩＤカードが通されると、管理装置カードリーダ１７にはＩＤカードから操作者ＩＤが入力され、管理装置カードリーダ１７は、この操作者ＩＤを管理装置制御部２５に出力する。すると、管理装置制御部２５が、入力された操作者ＩＤが管理装置記憶部２６に記憶された管理装置操作者ＩＤリストにあって適正であるか、管理装置操作者ＩＤリストになく適正でないかを判定する。入力された操作者ＩＤが適正であると、この操作者ＩＤを認証することになり、この場合、管理装置制御部２５は、入出取引のデータ入力を促す表示を、管理装置操作表示部１６に表示させる。これを見た操作者によって管理装置操作表示部１６にデータ入力が行われて最後に管理装置操作表示部１６に完了操作が入力されると、管理装置制御部２５は、この入出取引の貨幣処理データを管理装置記憶部２６に記憶させる。現金管理装置４におけるＩＤ認証として、磁気カードやＩＣカード等のＩＤカードから操作者ＩＤを入力させる以外にも、種々の認証手段を採用することができ、操作者の指紋あるいは静脈等の生体情報を用いた認証手段であってもよいし、これらを併用してもよい。
【００５７】
そして、管理装置制御部２５は、この入出取引にて入力された貨幣処理データを管理装置操作表示部１６に表示させると共に、この入出取引にて入力された貨幣処理データに基づいて、予備収納庫１２（ａ）、全ての束紙幣収納庫１２（ｂ）および全ての棒金収納庫１２（ｃ）の中から、この入出取引にて、貨幣処理として現金が入出庫される対象収納庫１２をロックしている収納庫ロック機構２２のロックを解除して、対象収納庫１２を現金管理装置本体１１から引き出し可能とする。
【００５８】
例えば、この入出取引にて入力された貨幣処理データに、バラ紙幣およびバラ硬貨の少なくともいずれか一方に関するものが含まれる場合、管理装置制御部２５は、予備収納庫１２（ａ）を対象収納庫１２とし、この予備収納庫１２（ａ）をロックしている収納庫ロック機構２２のロックを解除する。これにより、この予備収納庫１２（ａ）が現金管理装置本体１１から引き出し可能となる。それと共に、管理装置制御部２５は、この予備収納庫１２（ａ）用のその側方にある表示灯２３を点灯させる。
【００５９】
また、例えば、この入出取引にて入力された貨幣処理データに、小束紙幣Ｔに関するものが含まれる場合、管理装置制御部２５は、含まれる金種の小束紙幣Ｔを収納している束紙幣収納庫１２（ｂ）を対象収納庫１２とし、この束紙幣収納庫１２（ｂ）をロックしている収納庫ロック機構２２のロックを解除する。これにより、この束紙幣収納庫１２（ｂ）が現金管理装置本体１１から引き出し可能となる。それと共に、管理装置制御部２５は、この束紙幣収納庫１２（ｂ）用のその側方にある表示灯２３を点灯させる。
【００６０】
また、例えば、この入出取引にて入力された貨幣処理データに、棒金Ｂに関するものが含まれる場合、管理装置制御部２５は、含まれる金種の棒金Ｂを収納している棒金収納庫１２（ｃ）を対象収納庫１２とし、この棒金収納庫１２（ｃ）をロックしている収納庫ロック機構２２のロックを解除する。これにより、この棒金収納庫１２（ｃ）が現金管理装置本体１１から引き出し可能となる。それと共に、管理装置制御部２５は、この棒金収納庫１２（ｃ）用のその側方にある表示灯２３を点灯させる。
【００６１】
操作者は、対象収納庫１２を引き出し開状態として、貨幣処理データに基づいて現金を取り出したり装填したりする入出庫作業を行う。
【００６２】
例えば、対象収納庫１２が一の束紙幣収納庫１２（ｂ）である場合、管理装置制御部２５は、この一の束紙幣収納庫１２（ｂ）をロックしている収納庫ロック機構２２を駆動してロックを解除すると共に、この一の束紙幣収納庫１２（ｂ）用の表示灯２３を点灯させることになる。そして、この一の束紙幣収納庫１２（ｂ）の現金管理装置本体１１からの引き出しが開始されたことを引出位置検出機構３５の検出結果から検出すると、この一の束紙幣収納庫１２（ｂ）用の収納庫ロック機構２２の駆動を終了する。
【００６３】
その後、引出位置検出機構３５が、この一の束紙幣収納庫１２（ｂ）について、全開状態になったことを検出した後、閉方向の移動開始を検出すると、管理装置制御部２５は、この一の束紙幣収納庫１２（ｂ）に対して設けられた左端検出ラインセンサ６１、左側帯検出ラインセンサ６２、右側帯検出ラインセンサ６３および右端検出ラインセンサ６４について、これらに給電してこれらによる反射光データの取り込みを開始させる。そして、引出位置検出機構３５がこの一の束紙幣収納庫１２（ｂ）が全閉鎖状態になったことを検出すると、管理装置制御部２５は、反射光データの取り込みを終了させると共に、この一の束紙幣収納庫１２（ｂ）用の表示灯２３を消灯させる。この一の束紙幣収納庫１２（ｂ）が全閉鎖状態になると、この一の束紙幣収納庫１２（ｂ）用の収納庫ロック機構２２がこれを自動的にロック状態になる。
【００６４】
そして、管理装置制御部２５は、上記した反射光データから、この一の束紙幣収納庫１２（ｂ）に収納された小束紙幣Ｔの金種別の数量データを取得して管理装置記憶部２６に記憶させると共に、この金種別の数量データと、管理装置記憶部２６に記憶されている前回のこの一の束紙幣収納庫１２（ｂ）の金種別の数量データとから、増減分を割り出す。そして、管理装置制御部２５は、この増減分を、今回の入出取引に対して入力された貨幣処理データと照合して差異があるか否かを判定し、差異がなければ、今回の入出取引の終了を判定する。
【００６５】
また、対象収納庫１２が一の棒金収納庫１２（ｃ）である場合、管理装置制御部２５は、この一の棒金収納庫１２（ｃ）について、引出位置検出機構３５が、全開状態になったことを検出した後、全閉鎖状態になったことを検出すると、この一の棒金収納庫１２（ｃ）用の表示灯２３を消灯させると共に、この一の棒金収納庫１２（ｃ）に対して設けられた棒金検出センサ６８に磁気データを取得させる。
【００６６】
そして、管理装置制御部２５は、上記した磁気データから、この一の棒金収納庫１２（ｃ）に収納された棒金Ｂの金種別の数量データを取得して管理装置記憶部２６に記憶させると共に、この金種別の数量データと、管理装置記憶部２６に記憶されている前回のこの一の棒金収納庫１２（ｃ）の金種別の数量データとから、増減分を割り出す。そして、管理装置制御部２５は、この増減分を、今回の入出取引に対して入力された貨幣処理データと照合して差異があるか否かを判定し、差異がなければ、今回の入出取引の終了を判定する。
【００６７】
図１に示す出納機２は、被管理物のうちの紙幣、硬貨および金券等の貨幣類を取り扱うもので、金融機関等の店舗に設置されて店舗全体の貨幣処理を管理するものである。出納機２は、例えば、大口顧客に対する係員による入金、出金等の取引処理、係員による渉外先への持ち出し金の出金処理や、渉外先からの持ち帰り金の入金処理、さらには、営業終了後の金融機関店舗全体での入出金状況の締め上げ管理等を行うものである。
【００６８】
出納機２は、紙幣についての入出金処理等を行う紙幣処理装置１５５と、紙幣の特に新券についての出金処理等を行う新券処理装置１５６と、硬貨についての入出金処理等を行う硬貨処理装置１５７とが左右に並設されて構成されている。
【００６９】
紙幣処理装置１５５は、その前面側の上部に、機外からバラ紙幣が投入されると共に機内から出金用のバラ紙幣が繰り出されるバラ紙幣入出金口１６０が設けられている。バラ紙幣入出金口１６０の下側には、入金処理で受け付け不可と判定された入金リジェクト紙幣が機内から繰り出される入金リジェクト口１６１が設けられている。バラ紙幣入出金口１６０よりも上側には、機内でバラ紙幣を所定枚数集積して結束してなる小束紙幣を機外に取り出し可能とする束出金口１６２が設けられている。
【００７０】
新券処理装置１５６には、その前面側の上部に、機内から出金用の新券のバラ紙幣が繰り出される新券出金口１６５が設けられている。
【００７１】
硬貨処理装置１５７は、その前面側の上部に、機外からバラ硬貨が投入されるバラ硬貨入金口１６８が設けられている。バラ硬貨入金口１６８の下側には、入金処理で受け付け不可と判定された入金リジェクト硬貨が機内から繰り出される入金リジェクト口１６９が設けられている。入金リジェクト口１６９の下側には、機内から出金用のバラ硬貨が繰り出されるバラ硬貨出金口１７０が設けられている。前面側の上部には、機内でバラ硬貨を所定枚数集積して包装してなる棒金硬貨を機外に取り出し可能とする棒金出金口１７１が設けられている。
【００７２】
出納機２は、硬貨処理装置１５７の上部に、タッチパネル式の出納機操作表示部１７５と、出納機キー操作部１８１と、出納機カードリーダ１８２とを有している。出納機操作表示部１７５は、操作者により操作入力が行われると共に操作者に表示を行うものであり、出納機キー操作部１８１は、操作者により操作入力が行われるものであり、出納機カードリーダ１８２は操作者により通されたＩＤカードの記憶データを読み取るものである。出納機２は、図２に示すように、出納機２の各部を制御する出納機制御部１７７と、出納機２内の在高データおよび店舗内の在高データ等を記憶する出納機記憶部１７９（記憶手段）とを有している。
【００７３】
複数の出納機２は、それぞれの出納機制御部１７７が、管理対象とする現金管理装置４の管理装置制御部２５とネットワーク経由で通信可能であり、管理対象とする図示略の他の貨幣処理機器とネットワーク経由で通信可能である。
【００７４】
出納機２は、その出納機制御部１７７が、管理在高として、これが設けられた出納機２の機械在高を出納機記憶部１７９に記憶させており、この機械在高を管理する。また、出納機２は、その出納機制御部１７７が、管理在高として、他の出納機２の機械在高を出納機記憶部１７９に記憶させており、この機械在高を管理する。また、出納機２は、その出納機制御部１７７が、管理在高として、管理対象とする現金管理装置４の各別の在高と、管理対象とする他の貨幣処理機器の各別の在高と、を出納機記憶部１７９に記憶させており、これらの在高を管理する。出納機制御部１７７は、各出納機２の機械在高と現金管理装置４の在高と貨幣処理機器の在高とを区別しつつ関連データとして管理する。これにより、複数の出納機２は、それぞれが、店舗内のすべての貨幣類の在高を管理するようになっている。これにより、各出納機２は、店舗内のすべての管理対象機器の貨幣類の在高データを一元管理するようになっている。
【００７５】
各出納機２において、現金管理装置４用の入出取引の貨幣処理データを作成可能となっている。一の出納機２において、現金管理装置４用の入出取引の貨幣処理データは以下のように作成される。
【００７６】
まず、出納機カードリーダ１８２にＩＤカードが通されると、出納機カードリーダ１８２にはＩＤカードから操作者ＩＤが入力されることになり、出納機カードリーダ１８２は、この操作者ＩＤを出納機制御部１７７に出力する。すると、出納機制御部１７７が、入力された操作者ＩＤが出納機記憶部１７９に記憶された出納機操作者ＩＤリストにあって適正であるか、出納機操作者ＩＤリストになく適正でないかを判定する。入力された操作者ＩＤが適正であると、この操作者ＩＤを認証し、その場合、出納機操作表示部１７５に現金管理装置の入出取引のメニューを表示させる。
【００７７】
この入出取引のメニューが選択されると、出納機制御部１７７は、入出取引のデータ入力を促す表示を、出納機操作表示部１７５に表示させる。これを見た操作者によって出納機操作表示部１７５にデータ入力が行われると、出納機制御部１７７は、この入出取引の貨幣処理データを、これに関連して入力された操作者ＩＤつまりデータ入力者の操作者ＩＤと入力が行われたこの出納機２の出納機ＩＤとを含めて、出納機記憶部１７９に記憶させると共に、出納機操作表示部１７５に送信操作が行われると、この入出取引の貨幣処理データを現金管理装置４の管理装置制御部２５にネットワーク経由で送信する。つまり、出納機２が現金管理装置４に貨幣処理データを出力する。出納機２におけるＩＤ認証も、ＩＤカードから操作者ＩＤを入力させる以外の種々の認証手段を採用することができる。
【００７８】
ここからは、具体例として、第１実施形態の貨幣処理システム１が、出納機２として二台の出納機２のみを有し、現金管理装置４としてこれらに共用される一台の現金管理装置４のみを有する場合を説明する。なお、貨幣処理システム１は、複数台の出納機２と、これらに共用される少なくとも一台の現金管理装置４とを有するものであれば良い。
【００７９】
二台の出納機２を、第１の出納機２および第２の出納機２として区別する。第１の出納機２には、第１のＩＣタグ８が設けられており、第１のＩＣタグ８には、他との識別のために第１の出納機２に個別に設定された第１の出納機ＩＤが記憶されている。第２の出納機２には、第２のＩＣタグ８が設けられており、第２のＩＣタグ８には、他との識別のために第２の出納機２に個別に設定された第２の出納機ＩＤが記憶されている。
【００８０】
例えば、第１の出納機２および第２の出納機２は、いずれも、店舗内にある第１の出納機２、第２の出納機２、現金管理装置４、図示略の他の貨幣処理機器および共有金庫の在高を管理する。図６に示すように、店舗全体の管理在高は、大きくは、第１の出納機２が主体で管理する第１の出納機２の管理在高と、第２の出納機２が主体で管理する第２の出納機２の管理在高と、第１の出納機２と第２の出納機２とに共有の管理在高とに分けられる。第１の出納機２の管理在高には第１の出納機２の機械在高が含まれ、第２の出納機２の管理在高には第２の出納機２の機械在高が含まれる。また、第１の出納機２と第２の出納機２とに共有の管理在高には、共有手許在高と、共有金庫の在高が含まれる。第１の出納機２と第２の出納機２とで共用される現金管理装置４の在高は、他の貨幣処理機器の在高と同様、共有手許在高に含まれる。
【００８１】
移動可能である現金管理装置４に対して、第１の出納機２および第２の出納機２は、店舗の建屋に設置されており、基本的には位置固定となっている。必要に応じて、操作者は、現金管理装置４を、例えば取扱いの多い出納機２の近くに適宜移動させて使用することができる。現金管理装置４に設けられたタグリーダ７０は、第１のＩＣタグ８および第２のＩＣタグ８のそれぞれに対して、所定距離を越えて離れると通信不可であり、所定距離内に近接すると通信可能となって、通信可能なものから出納機ＩＤを読み出す。
【００８２】
第１の出納機２および第２の出納機２は、同一店舗内に離れて設置されており、現金管理装置４に設けられたタグリーダ７０は、第１のＩＣタグ８および第２のＩＣタグ８の両方と同時に通信することは距離的に不可能となっている。タグリーダ７０と第１のＩＣタグ８および第２のＩＣタグ８との近距離無線通信とは別に、第１の出納機２および第２の出納機２は、互いの出納機制御部１７７同士がネットワーク経由で常時通信可能であり、現金管理装置４の管理装置制御部２５に対してもネットワーク経由で常時通信可能となっている。第１の出納機２および第２の出納機２は、それぞれの出納機制御部１７７が、当該出納機２に設けられた出納機操作表示部１７５に送信操作が行われると、上記した入出取引の貨幣処理データを現金管理装置４の管理装置制御部２５にネットワーク経由で送信する。
【００８３】
現金管理装置４の管理装置制御部２５は、タグリーダ７０が、第１の出納機２の第１のＩＣタグ８と通信可能であって、第２の出納機２の第２のＩＣタグ８と通信不可であると、現金管理装置４が第１の出納機２に近く、第２の出納機２から遠いと判定する。また、現金管理装置４の管理装置制御部２５は、タグリーダ７０が、第２の出納機２の第２のＩＣタグ８と通信可能であって、第１の出納機２の第１のＩＣタグ８と通信不可であると、現金管理装置４が第２の出納機２に近く、第１の出納機２から遠いと判定する。つまり、タグリーダ７０、第１のＩＣタグ８、第２のＩＣタグ８および管理装置制御部２５が、現金管理装置４が二台の第１の出納機２および第２の出納機２のうちのいずれに近いかを判定する遠近判定処理を行う遠近判定手段を構成する。
【００８４】
ここで、例えば出納機２が三台以上ある場合に、現金管理装置４の管理装置制御部２５は、タグリーダ７０が通信可能であるＩＣタグ８を有する一台の出納機２に最も近く、タグリーダ７０が通信不可であるＩＣタグ８を有する残りの複数台の出納機２から遠いと判定する。つまり、現金管理装置４の管理装置制御部２５は、現金管理装置４が三台以上の出納機２のうちのいずれに最も近いかを判定する。
【００８５】
現金管理装置４の管理装置制御部２５は、第１の出納機２の出納機制御部１７７から、データ入力者の操作者ＩＤおよび第１の出納機ＩＤを含む入出取引の貨幣処理データがネットワーク経由で送信されると、タグリーダ７０を駆動してＩＣタグ８と通信させる。管理装置制御部２５は、タグリーダ７０がＩＣタグ８から第１の出納機ＩＤを読み出すと、タグリーダ７０が第１のＩＣタグ８と通信したと判定し、現金管理装置４が貨幣処理データの送信元の第１の出納機２に近いと判定する。このとき、上記のように距離的にタグリーダ７０がＩＣタグ８から第２の出納機ＩＤを読み出すことはなく、現金管理装置４が貨幣処理データの送信元ではない第２の出納機２からは遠いと判定する。
【００８６】
このように貨幣処理データの送信元の第１の出納機２に現金管理装置４が近いと判定すると、現金管理装置４の管理装置制御部２５は、第１の出納機２の出納機制御部１７７からネットワーク経由で送信された、データ入力者の操作者ＩＤおよび第１の出納機ＩＤを含む貨幣処理データを受け付ける。すると、管理装置制御部２５は、この貨幣処理データの表示と共に、完了操作の入力を促す表示を管理装置操作表示部１６に表示させ、完了操作が入力されると、この貨幣処理データを管理装置記憶部２６に記憶させる。以後、管理装置制御部２５は、この貨幣処理データに基づいて、上記と同様に貨幣の取り出しおよび収納が可能になり、この入出取引の終了を判定するまでの入出取引が可能となる。その際に、管理装置制御部２５は、管理装置カードリーダ１７でのＩＤカードの認証を不要とする。
【００８７】
ここで、上記の完了操作の入力前に、管理装置カードリーダ１７でのＩＤカードの認証を必要としても良い。例えば、ＩＤカードが通されることによって管理装置カードリーダ１７にＩＤカードから入力された操作者ＩＤが、第１の出納機２の出納機制御部１７７からネットワーク経由で送信された上記の貨幣処理データに含まれる操作者ＩＤと一致して適正であるか、一致せず適正でないかを判定するようにしても良い。そして、入力された操作者ＩＤが適正であってこの操作者ＩＤを認証した場合に、完了操作の入力が可能となるようにする。つまり、第１の出納機２での貨幣処理データの作成時に認証された操作者ＩＤが、現金管理装置４で認証された場合に限り、完了操作の入力を可能とする。
【００８８】
あるいは、上記の完了操作の入力前に、管理装置カードリーダ１７にＩＤカードから入力された操作者ＩＤが、管理装置記憶部２６に記憶された管理装置操作者ＩＤリストにあって適正であるか、管理装置操作者ＩＤリストになく適正でないかを判定し、入力された操作者ＩＤが適正であってこの操作者ＩＤを認証した場合に、完了操作の入力が可能となるようにしても良い。第１の出納機２での貨幣処理データの作成時に認証された操作者ＩＤとは無関係に、現金管理装置４の入出取引が可能な操作者ＩＤが現金管理装置４で認証された場合に限り、完了操作の入力を可能とする。この場合、管理装置操作者ＩＤリストに、受け付けた入出取引の貨幣処理データに含まれるデータ入力者の操作者ＩＤの操作者よりも上席の操作者のみを記載しても良い。
【００８９】
一方、現金管理装置４の管理装置制御部２５は、上記のように第１の出納機２の出納機制御部１７７からの第１の出納機ＩＤを含む貨幣処理データのネットワーク経由での送信に基づいてタグリーダ７０を駆動した際に、タグリーダ７０がＩＣタグ８から第２の出納機ＩＤを読み出すと、タグリーダ７０が第２のＩＣタグ８と通信したと判定し、現金管理装置４が貨幣処理データの送信元ではない第２の出納機２に近いと判定する。このとき、上記のように距離的にタグリーダ７０がＩＣタグ８から第１の出納機ＩＤを読み出すことはなく、現金管理装置４が貨幣処理データの送信元の第１の出納機２からは遠いと判定する。
【００９０】
このように貨幣処理データの送信元の第１の出納機２から現金管理装置４が遠いと判定すると、現金管理装置４の管理装置制御部２５は、第１の出納機２の出納機制御部１７７からネットワーク経由で送信された貨幣処理データを受け付けない。よって、現金管理装置４は、この貨幣処理データに基づく入出取引が不可となる。
【００９１】
現金管理装置４の管理装置制御部２５は、第２の出納機２から第２の出納機ＩＤを含む貨幣処理データがネットワーク経由で送信された場合も、上記と同様に、タグリーダ７０がＩＣタグ８から第２の出納機ＩＤを読み出した場合に、タグリーダ７０が第２のＩＣタグ８と通信したと判定し、現金管理装置４が貨幣処理データの送信元の第２の出納機２に近く、貨幣処理データの送信元ではない第１の出納機２から遠いと判定する。
【００９２】
このように貨幣処理データの送信元の第２の出納機２に現金管理装置４が近いと判定すると、現金管理装置４の管理装置制御部２５は、第２の出納機２からネットワーク経由で送信された貨幣処理データを受け付けて、この貨幣処理データに基づく入出取引が可能となる。
【００９３】
一方、現金管理装置４の管理装置制御部２５は、第２の出納機２からの第２の出納機ＩＤを含む貨幣処理データのネットワーク経由での送信に基づいてタグリーダ７０がＩＣタグ８から第１の出納機ＩＤを読み出すと、タグリーダ７０が第１のＩＣタグ８と通信したと判定し、現金管理装置４が貨幣処理データの送信元ではない第１の出納機２に近く、貨幣処理データの送信元である第２の出納機２からは遠いと判定する。
【００９４】
このように貨幣処理データの送信元の第２の出納機２から現金管理装置４が遠いと判定すると、現金管理装置４の管理装置制御部２５は、第２の出納機２からネットワーク経由で送信された貨幣処理データを受け付けない。よって、現金管理装置４は、この貨幣処理データに基づく入出取引が不可となる。
【００９５】
以上により、現金管理装置４は、タグリーダ７０、第１のＩＣタグ８および第２のＩＣタグ８を用いた管理装置制御部２５の判定結果から、第１の出納機２および第２の出納機２のうち、近いと判定された近接側の出納機２からネットワーク経由で送信された貨幣処理データに基づいて貨幣処理が可能となる。また、現金管理装置４は、タグリーダ７０、第１のＩＣタグ８および第２のＩＣタグ８を用いた管理装置制御部２５の判定結果から、第１の出納機２および第２の出納機２のうち、遠いと判定された遠隔側の出納機２からネットワーク経由で送信された貨幣処理データを受け付けない。
【００９６】
ここで、上記のように、第１の出納機２から貨幣処理データが現金管理装置４にネットワーク経由で送信される場合に、現金管理装置４の管理装置制御部２５が、現金管理装置４が貨幣処理データの送信元ではない第２の出納機２に近く、貨幣処理データの送信元の第１の出納機２から遠いと判定すると、第１の出納機２および第２の出納機２のそれぞれの出納機制御部１７７にネットワーク経由で遠近関係が不適正である旨の信号を出力する。すると、第１の出納機２および第２の出納機２のそれぞれの出納機操作表示部１７５に遠近関係が不適正である旨のエラー表示を表示させる。それと共に、貨幣処理データの送信元である第１の出納機２において、出納機制御部１７７が出納機記憶部１７９に、この貨幣処理データを受付不可の貨幣処理データとして記憶して保留する。つまり、現金管理装置４に対し遠隔側の第１の出納機２は、送信しても現金管理装置４で受け付けられなかった貨幣処理データを、受付不可の貨幣処理データとして管理装置記憶部２６に記憶して保留する。
【００９７】
そして、第１実施形態においては、現金管理装置４に近い近接側の第２の出納機２によって、現金管理装置４から遠い遠隔側の第１の出納機２からの貨幣処理データをネットワーク経由で受信してネットワーク経由で現金管理装置４に送信可能となっている。
【００９８】
つまり、第２の出納機２において、出納機カードリーダ１８２にＩＤカードが通されると、出納機カードリーダ１８２にはＩＤカードから操作者ＩＤが入力されることになり、出納機カードリーダ１８２は、この操作者ＩＤを出納機制御部１７７に出力する。すると、出納機制御部１７７が、入力された操作者ＩＤが出納機記憶部１７９に記憶された出納機操作者ＩＤリストにあって適正であるか、出納機操作者ＩＤリストになく適正でないかを判定する。入力された操作者ＩＤが適正であると、この操作者ＩＤを認証し、その場合、出納機操作表示部１７５に貨幣処理データの代理送信のメニューを表示させる。
【００９９】
この代理送信のメニューが選択されると、第２の出納機２の出納機制御部１７７は、第１の出納機２の出納機制御部１７７に対し、この認証した操作者ＩＤを含んでいて現金管理装置４によって受け付けられなかった受付不可の貨幣処理データの送信を指示する送信指示信号をネットワーク経由で送信する。すると、第１の出納機２の出納機制御部１７７は、この操作者ＩＤを含んでいて現金管理装置４によって受け付けられなかった受付不可の貨幣処理データをネットワーク経由で第２の出納機２の出納機制御部１７７に送信する。
【０１００】
ここで、この操作者ＩＤを含んでいて現金管理装置４によって受け付けられなかった受付不可の貨幣処理データが複数ある場合には、第１の出納機２の出納機制御部１７７は、これらの貨幣処理データを第２の出納機２の出納機制御部１７７に送信する。すると、これらの貨幣処理データを、第２の出納機２において、出納機制御部１７７が出納機操作表示部１７５にリスト表示させ、その中から選択操作された一つの貨幣処理データを受付不可の貨幣処理データとする。
【０１０１】
第２の出納機２において、出納機制御部１７７は、上記した受付不可の貨幣処理データを、認証した操作者ＩＤを含んで出納機記憶部１７９に記憶させると共に、現金管理装置４にネットワーク経由で送信する。すると、現金管理装置４の管理装置制御部２５は、このように近接側の第２の出納機２からネットワーク経由で送信された貨幣処理データについては、これを受け付けることになる。このため、現金管理装置４は、この貨幣処理データに基づく入出取引が可能となる。このように貨幣処理データが現金管理装置４に受け付けられると、第２の出納機２の出納機制御部１７７は、その旨の信号を第１の出納機２の出納機制御部１７７にネットワーク経由で送信し、第１の出納機２の出納機制御部１７７は、第２の出納機２で現金管理装置４に受け付けさせた上記の受付不可の貨幣処理データを受付完了の貨幣処理データとする。
【０１０２】
以上により、現金管理装置４に対し、近接側の第２の出納機２が、貨幣処理データを遠隔側の第１の出納機２から受信して現金管理装置４にネットワーク経由で送信可能であり、現金管理装置４は、このように遠隔側の第１の出納機２から近接側の第２の出納機２を経由して受信した貨幣処理データに基づく入出取引が可能となる。言い換えれば、タグリーダ７０、第１のＩＣタグ８および第２のＩＣタグ８を用いた管理装置制御部２５の判定結果から、第２の出納機２が、現金管理装置４に対し近接側の出納機２であると判定されると、貨幣処理データを、現金管理装置４から遠い遠隔側の出納機２であると判定された第１の出納機２からネットワーク経由で受信して現金管理装置４に送信可能になっている。
【０１０３】
また、上記のように、遠隔側の第１の出納機２が、現金管理装置４で受け付けられなかった貨幣処理データを受付不可の貨幣処理データとして出納機記憶部１７９に記憶して保留し、これが受付完了の貨幣処理データとならない状態で、現金管理装置４のタグリーダ７０が、第２のＩＣタグ８との通信が不可能になり、第１のＩＣタグ８と通信して第１の出納機ＩＤを読み込み可能な状態に変わることがある。つまり、現金管理装置４が貨幣処理データの送信元の第１の出納機２に対し、遠い状態から近い状態に変わることがある。すると、現金管理装置４の管理装置制御部２５は、第１の出納機２の出納機制御部１７７にネットワーク経由で遠近関係が適正である旨の信号を出力する。すると、第１の出納機２の出納機制御部１７７は、出納機記憶部１７９に記憶し保留していた、第１の出納機ＩＤを含む受付不可の貨幣処理データを読み出して現金管理装置４にネットワーク経由で再送信する。すると、現金管理装置４の管理装置制御部２５は、この貨幣処理データを受け付けて、この貨幣処理データに基づく入出取引が可能となる。このように貨幣処理データが現金管理装置４に受け付けられると、第１の出納機２の出納機制御部１７７は、この受付不可の貨幣処理データを受付完了の貨幣処理データとする。なお、セキュリティの観点から、貨幣処理データの再送信に先立って、操作者の認証を追加してもよい。例えば、第１の出納機２の出納機制御部１７７は、現金管理装置４の管理装置制御部２５から遠近関係が適正である旨の信号を受信したときに、出納機カードリーダ１８２において操作者ＩＤを認証して、再送信のメニューが選択されると、この認証した操作者ＩＤを含んでいて現金管理装置４によって受け付けられなかった受付不可の貨幣処理データを出納機記憶部１７９から読み出して現金管理装置４に再送信する。または、現金管理装置４を移動させる前に管理装置カードリーダ１７での操作者ＩＤの認証（移動認証）を追加し、この移動認証を行わずに現金管理装置４を移動させると、不正な移動としてアラーム等で報知するようにする。移動認証が行われると、現金管理装置４は移動中の状態となり、他の出納機２のＩＣタグ８を読み取り可能になったとき、または、中断キーの押下あるいはタイムアウト等で移動中の状態を解除する。例えば、現金管理装置４は、移動中の状態から第１の出納機２のＩＣタグ８が読み取り可能になると、第１の出納機２の出納機制御部１７７に遠近関係が適正である旨の信号と移動認証を行った操作者ＩＤとを出力する。第１の出納機２の出納機制御部１７７は、この移動認証を行った操作者ＩＤを含んでいて現金管理装置４によって受け付けられなかった受付不可の貨幣処理データを出納機記憶部１７９から読み出して現金管理装置４に再送信する。
【０１０４】
以上により、現金管理装置４に対し遠隔側の第１の出納機２は、現金管理装置４で受け付けられなかった貨幣処理データを、出納機記憶部１７９に記憶して保留し、タグリーダ７０、第１のＩＣタグ８および第２のＩＣタグ８を用いた管理装置制御部２５の判定結果から、近接側の出納機２に変わったと判定されると出納機記憶部１７９から読み出して現金管理装置４にネットワーク経由で再送信する。
【０１０５】
第２の出納機２から貨幣処理データが現金管理装置４にネットワーク経由で送信される場合に、現金管理装置４の管理装置制御部２５が、現金管理装置４が貨幣処理データの送信元ではない第１の出納機２に近く、貨幣処理データの送信元の第２の出納機２から遠いと判定すると、第１の出納機２および第２の出納機２のそれぞれの出納機制御部１７７にネットワーク経由で遠近関係が不適正である旨の信号を出力する。すると、上記と同様に、貨幣処理データの送信元である第２の出納機２において、出納機制御部１７７が出納機記憶部１７９に、この貨幣処理データを受付不可の貨幣処理データとして記憶して保留する。
【０１０６】
このときも、上記と同様に、現金管理装置４に近い近接側の第１の出納機２によって、現金管理装置４から遠い遠隔側の第２の出納機２からの貨幣処理データをネットワーク経由で受信してネットワーク経由で現金管理装置４に送信可能となっている。
【０１０７】
つまり、第１の出納機２において、操作者ＩＤを認証して、代理送信のメニューが選択されると、第２の出納機２に対し、この認証した操作者ＩＤを含んでいて現金管理装置４によって受け付けられなかった受付不可の貨幣処理データの送信を指示する。すると、第２の出納機２は、この認証した操作者ＩＤを含んでいて現金管理装置４によって受け付けられなかった受付不可の貨幣処理データをネットワーク経由で第１の出納機２に送信する。
【０１０８】
第１の出納機２において、この受付不可の貨幣処理データを受信すると、この貨幣処理データを、認証した操作者ＩＤを含んで出納機記憶部１７９に記憶させると共に、現金管理装置４にネットワーク経由で送信する。すると、現金管理装置４は、このように第２の出納機２から第１の出納機２経由で送信された貨幣処理データを受け付けて、この貨幣処理データに基づく入出取引が可能となる。このように貨幣処理データが現金管理装置４に受け付けられると、第２の出納機２はこの受付不可の貨幣処理データを受付完了の貨幣処理データとする。
【０１０９】
以上により、現金管理装置４に対し、近接側の第１の出納機２が、貨幣処理データを遠隔側の第２の出納機２から受信して現金管理装置４にネットワーク経由で送信可能であり、現金管理装置４は、このように遠隔側の第２の出納機２から近接側の第１の出納機２を経由して受信した貨幣処理データに基づく入出取引が可能となる。言い換えれば、タグリーダ７０、第１のＩＣタグ８および第２のＩＣタグ８を用いた管理装置制御部２５の判定結果から、第１の出納機２が、現金管理装置４に対し近接側の出納機２であると判定されると、貨幣処理データを、現金管理装置４から遠い遠隔側の出納機２であると判定された第２の出納機２からネットワーク経由で受信して現金管理装置４に送信可能になっている。
【０１１０】
また、上記のように、遠隔側の第２の出納機２が、現金管理装置４で受け付けられなかった貨幣処理データを受付不可の貨幣処理データとして出納機記憶部１７９に記憶して保留し、これが受付完了の貨幣処理データとならない状態で、現金管理装置４のタグリーダ７０が、第１のＩＣタグ８との通信が不可能になり、第２のＩＣタグ８と通信して第２の出納機ＩＤを読み込み可能な状態に変わることがある。すると、現金管理装置４の管理装置制御部２５は、第２の出納機２にネットワーク経由で遠近関係が適正である旨の信号を出力し、これを受けて、第２の出納機２は、出納機記憶部１７９に記憶し保留していた受付不可の貨幣処理データを読み出して現金管理装置４にネットワーク経由で再送信する。すると、現金管理装置４の管理装置制御部２５は、この貨幣処理データを受け付けて、この貨幣処理データに基づく入出取引が可能となる。このように貨幣処理データが現金管理装置４に受け付けられると、第２の出納機２は、この受付不可の貨幣処理データを受付完了の貨幣処理データとする。なお、上述したように、セキュリティの観点から、貨幣処理データの再送信に先立って、第２の出納機２における操作者の認証、または現金管理装置４における移動認証を追加してもよい。
【０１１１】
以上により、現金管理装置４に対し遠隔側の第２の出納機２は、現金管理装置４で受け付けられなかった貨幣処理データを、出納機記憶部１７９に記憶して保留し、タグリーダ７０、第１のＩＣタグ８および第２のＩＣタグ８を用いた管理装置制御部２５の判定結果から、近接側の出納機２に変わったと判定されると出納機記憶部１７９から読み出して現金管理装置４にネットワーク経由で再送信する。
【０１１２】
以上の貨幣処理方法は、タグリーダ７０、第１のＩＣタグ８および第２のＩＣタグ８を用いた管理装置制御部２５の、現金管理装置４が複数の出納機２のうちのいずれに近いかを判定する遠近判定処理の判定結果から、現金管理装置４に近いと判定された近接側の出納機２から送信された貨幣処理データに基づいて、この現金管理装置４に貨幣処理を行わせる。また、複数の出納機２のうち、近接側の出納機２によって、受付不可の貨幣処理データを、遠隔側の出納機２から受信させ、現金管理装置４に代理送信させる。また、現金管理装置４に、複数の出納機２のうち、タグリーダ７０、第１のＩＣタグ８および第２のＩＣタグ８を用いた管理装置制御部２５の判定結果から遠いと判定された遠隔側の出納機２から送信された貨幣処理データを受け付けさせることなく、遠隔側の出納機２の出納機記憶部１７９に、現金管理装置４で受け付けられなかった貨幣処理データを記憶して保留し、当該遠隔側の出納機２が、タグリーダ７０、第１のＩＣタグ８、第２のＩＣタグ８および管理装置制御部２５によって近接側の出納機２に変わったと判定されると、当該出納機２の出納機記憶部１７９に記憶させていた貨幣処理データを現金管理装置４に再送信させて、処理可能とする。
【０１１３】
以上に述べた第１実施形態の貨幣処理システム１によれば、現金管理装置４の管理装置制御部２５が、タグリーダ７０、第１のＩＣタグ８および第２のＩＣタグ８を用いて、現金管理装置４が複数台の第１の出納機２および第２の出納機２のうちのいずれに近いかを判定することになり、現金管理装置４は、複数台の第１の出納機２および第２の出納機２のうち、タグリーダ７０、第１のＩＣタグ８および第２のＩＣタグ８を用いた管理装置制御部２５の判定結果から近いと判定された近接側の出納機２から送信された貨幣処理データに基づいて貨幣処理が可能となる。つまり、複数台の第１の出納機２および第２の出納機２で一台の現金管理装置４を共用する場合に、現金管理装置４を近接側の出納機２からの貨幣処理データで動作させることになる。よって、複数台の第１の出納機２および第２の出納機２で一台の現金管理装置４を共用する場合に、現金管理装置４をいずれの出納機２からの貨幣処理データで動作させるかの制御が容易となる。
【０１１４】
また、現金管理装置４は、遠隔側の出納機２から送信された貨幣処理データを受け付けないものの、近接側の出納機２が、貨幣処理データを遠隔側の出納機２から受信して現金管理装置４に送信する。すると、現金管理装置４は、この貨幣処理データに基づいて貨幣処理が可能となる。よって、近接側の出納機２を用いれば、遠隔側の出納機２からの貨幣処理データに基づく貨幣処理が現金管理装置４で可能となる。
【０１１５】
また、現金管理装置４は、遠隔側の出納機２から送信された貨幣処理データを受け付けないものの、遠隔側の出納機２は、現金管理装置４で受け付けられなかった貨幣処理データを、出納機記憶部１７９に記憶して保留し、タグリーダ７０、第１のＩＣタグ８および第２のＩＣタグ８を用いた管理装置制御部２５の判定結果から、近接側の出納機２に変わったと判定されると出納機記憶部１７９から読み出して現金管理装置４に再送信する。すると、現金管理装置４は、この貨幣処理データに基づいて貨幣処理が可能となる。よって、現金管理装置４を移動させ、遠隔側にあった出納機２に近接させて、これを近接側の出納機２に変えることにより、当初遠隔側であった出納機２からの貨幣処理データに基づく貨幣処理が現金管理装置４で可能となる。
【０１１６】
第１実施形態の出納機２によれば、貨幣処理親機として動作可能であり、現金管理装置４に対し、近接側の出納機２となっている場合に、貨幣処理データを送信する。すると、現金管理装置４は、この貨幣処理データに基づいて貨幣処理が可能となる。よって、複数台の出納機２で一台の現金管理装置４を共用する場合に、現金管理装置４をいずれの出納機２からの貨幣処理データで動作させるかの制御が容易となる。また、現金管理装置４に対し、近接側の出納機２となっている場合に、遠隔側の出納機２からの貨幣処理データを受信して現金管理装置４に送信する。すると、現金管理装置４は、この貨幣処理データに基づいて貨幣処理が可能となる。よって、近接側の出納機２となっている場合に、遠隔側の出納機２からの貨幣処理データに基づく貨幣処理を現金管理装置４に行わせることが可能となる。
【０１１７】
また、現金管理装置４に対し、遠隔側の出納機２となっている場合に、現金管理装置４で受け付けられなかった貨幣処理データを、出納機記憶部１７９に記憶して保留し、タグリーダ７０、第１のＩＣタグ８および第２のＩＣタグ８を用いた管理装置制御部２５の判定結果から、近接側の出納機２に変わったと判定されると、出納機記憶部１７９から読み出して現金管理装置４に再送信する。すると、現金管理装置４は、この貨幣処理データに基づいて貨幣処理が可能となる。よって、遠隔側の出納機２となっている場合に、現金管理装置４に対し、現金管理装置４の移動で近接側の出納機２に変えられることにより、その貨幣処理データに基づく貨幣処理を現金管理装置４に行わせることが可能となる。
【０１１８】
第１実施形態の現金管理装置４によれば、貨幣処理子機として動作可能であり、複数台の出納機２に対して、近接側の出納機２から送信された貨幣処理データに基づいて貨幣処理が可能となる。よって、複数台の出納機２で一台が共用される場合に、いずれの出納機２からの貨幣処理データで動作させられるのかの制御が容易となる。
【０１１９】
第１実施形態の貨幣処理方法によれば、近接側の出納機２から送信された貨幣処理データに基づいて現金管理装置４に貨幣処理を行わせる。つまり、複数台の出納機２で一台の現金管理装置４を共用する場合に、現金管理装置４を近接側の出納機２からの貨幣処理データで動作させることになる。よって、複数台の出納機２で一台の現金管理装置４を共用する場合に、現金管理装置４をいずれの出納機２からの貨幣処理データで動作させるかの制御が容易となる。
【０１２０】
また、近接側の出納機２によって、貨幣処理データを、遠隔側の出納機２から受信させ、現金管理装置４に送信させる。すると、現金管理装置４は、この貨幣処理データに基づいて貨幣処理が可能となる。よって、近接側の出納機２を用いれば、遠隔側の出納機２からの貨幣処理データに基づく貨幣処理が現金管理装置４で可能となる。
【０１２１】
また、現金管理装置４に、遠隔側の出納機２から送信された貨幣処理データを受け付けさせることはないものの、遠隔側の出納機２では、現金管理装置４で受け付けられなかった貨幣処理データを出納機記憶部１７９に記憶させて保留する。そして、この遠隔側の出納機２が近接側の出納機２に変わると、この出納機２の出納機記憶部１７９に記憶させていた貨幣処理データを現金管理装置４に再送信させる。すると、現金管理装置４は、この貨幣処理データに基づいて貨幣処理が可能となる。よって、現金管理装置４を移動させ、遠隔側にあった出納機２に近接させて、これを近接側の出納機２に変えることにより、当初遠隔側であった出納機２からの貨幣処理データに基づく貨幣処理が現金管理装置４で可能となる。
【０１２２】
［第２実施形態］
本発明の第２実施形態に係る貨幣処理システムを第１実施形態との相違部分を中心に以下に説明する。
【０１２３】
第１実施形態においては、遠隔側の出納機２が、現金管理装置４で受け付けられなかった貨幣処理データを、自身の出納機記憶部１７９に記憶するようにしている。これに対し、第２実施形態においては、現金管理装置４が、遠隔側の出納機２から送信された貨幣処理データを管理装置記憶部２６（記憶手段）に記憶し、当該遠隔側の出納機２が、近接側の出納機２に変わったと判定されると、記憶していた貨幣処理データに基づいて貨幣処理が可能となる。
【０１２４】
具体的に、現金管理装置４の管理装置制御部２５は、第１の出納機２の出納機制御部１７７から、データ入力者の操作者ＩＤおよび第１の出納機ＩＤを含む入出取引の貨幣処理データがネットワーク経由で送信されると、タグリーダ７０を駆動してＩＣタグ８と通信させる。このとき、タグリーダ７０が第２のＩＣタグ８と通信して第２の出納機ＩＤを読み取ると、現金管理装置４が貨幣処理データの送信元ではない第２の出納機２に近いと判定し、現金管理装置４が貨幣処理データの送信元の第１の出納機２からは遠いと判定する。
【０１２５】
このように貨幣処理データの送信元の第１の出納機２から現金管理装置４が遠いと判定すると、現金管理装置４の管理装置制御部２５は、第１の出納機２の出納機制御部１７７からネットワーク経由で送信された貨幣処理データを受け付けるものの保留中の貨幣処理データとして、データ入力者の操作者ＩＤおよび送信元の第１の出納機ＩＤを含んで管理装置記憶部２６に記憶させて保留する。このとき、現金管理装置４は、この受信した貨幣処理データに基づく入出取引が不可となる。
【０１２６】
第２実施形態においても、上記のように、第１の出納機２から貨幣処理データが現金管理装置４にネットワーク経由で送信される場合に、現金管理装置４の管理装置制御部２５が、現金管理装置４が貨幣処理データの送信元ではない第２の出納機２に近く、貨幣処理データの送信元の第１の出納機２から遠いと判定すると、第１の出納機２および第２の出納機２のそれぞれの出納機制御部１７７にネットワーク経由で遠近関係が不適正である旨の信号を出力する。すると、第１の出納機２および第２の出納機２のそれぞれの出納機操作表示部１７５に遠近関係が不適正である旨のエラー表示を表示させる。第２実施形態においても、現金管理装置４に近い近接側の第２の出納機２によって、現金管理装置４から遠い遠隔側の第１の出納機２からの貨幣処理データを受信して現金管理装置４に送信する代理送信が可能となっている。
【０１２７】
上記のように、現金管理装置４が、遠隔側の第１の出納機２から送信された貨幣処理データを保留中の貨幣処理データとして送信元の第１の出納機ＩＤを含んで管理装置記憶部２６に記憶した状態で、現金管理装置４のタグリーダ７０が、第２のＩＣタグ８との通信が不可能になり、第１のＩＣタグ８と通信して第１の出納機ＩＤを読み込み可能な状態に変わることがある。つまり、現金管理装置４が、保留中の貨幣処理データの送信元の第１の出納機２に対し、遠い状態から近い状態に変わることがある。すると、現金管理装置４の管理装置制御部２５は、遠い状態から近い状態に変わった第１の出納機２の第１の出納機ＩＤを含んで管理装置記憶部２６に記憶させていた保留中の貨幣処理データの保留状態を解除し、この貨幣処理データに基づく入出取引が可能となる。
【０１２８】
以上により、現金管理装置４は、第１の出納機２および第２の出納機２のうち、タグリーダ７０、第１のＩＣタグ８および第２のＩＣタグ８を用いた管理装置制御部２５の判定結果から遠いと判定された遠隔側の第１の出納機２から送信された貨幣処理データを管理装置記憶部２６に記憶して保留し、当該遠隔側の第１の出納機２が、タグリーダ７０、第１のＩＣタグ８および第２のＩＣタグ８を用いた管理装置制御部２５の判定結果によって近接側の出納機２に変わったと判定されると、管理装置記憶部２６に記憶していた、第１の出納機２に関連する保留中の貨幣処理データに基づいて貨幣処理が可能となる。
【０１２９】
また、現金管理装置４の管理装置制御部２５は、第２の出納機２から第２の出納機ＩＤを含む貨幣処理データがネットワーク経由で送信される場合も、上記と同様に、この貨幣処理データのネットワーク経由での送信に対してタグリーダ７０が第１のＩＣタグ８と通信すると、現金管理装置４が貨幣処理データの送信元ではない第１の出納機２に近く、貨幣処理データの送信元である第２の出納機２からは遠いと判定する。
【０１３０】
このように貨幣処理データの送信元の第２の出納機２から現金管理装置４が遠いと判定すると、現金管理装置４の管理装置制御部２５は、第２の出納機２からネットワーク経由で送信された貨幣処理データを受け付けるものの保留中の貨幣処理データとして、データ入力者の操作者ＩＤおよび第２の出納機ＩＤを含んで管理装置記憶部２６に記憶させて保留する。このときも、現金管理装置４は、この受信した貨幣処理データに基づく入出取引が不可となる。また、この状態でも、現金管理装置４に近い近接側の第１の出納機２によって、現金管理装置４から遠い遠隔側の第２の出納機２からの貨幣処理データを受信して現金管理装置４に送信する代理送信が可能となっている。
【０１３１】
上記のように、現金管理装置４が、遠隔側の第２の出納機２から送信された貨幣処理データを保留中の貨幣処理データとして送信元の第２の出納機ＩＤを含んで管理装置記憶部２６に記憶した状態で、タグリーダ７０が第１のＩＣタグ８との通信が不可能になり、第２のＩＣタグ８と通信して第２の出納機ＩＤを読み込み可能な状態に変わることがある。つまり、現金管理装置４が、保留中の貨幣処理データの送信元の第２の出納機２に対し、遠い状態から近い状態に変わることがある。すると、現金管理装置４の管理装置制御部２５は、遠い状態から近い状態に変わった第２の出納機２の第２の出納機ＩＤを含んで管理装置記憶部２６に記憶していた保留中の貨幣処理データの保留状態を解除し、この貨幣処理データに基づく入出取引が可能となる。
【０１３２】
以上により、現金管理装置４は、第１の出納機２および第２の出納機２のうち、タグリーダ７０、第１のＩＣタグ８および第２のＩＣタグ８を用いた管理装置制御部２５の判定結果から遠いと判定された遠隔側の第２の出納機２から送信された貨幣処理データを管理装置記憶部２６に記憶して保留し、当該遠隔側の第２の出納機２が、タグリーダ７０、第１のＩＣタグ８および第２のＩＣタグ８を用いた管理装置制御部２５の判定結果によって近接側の出納機２に変わったと判定されると、管理装置記憶部２６に記憶していた、第２の出納機２に関連する保留中の貨幣処理データに基づいて貨幣処理が可能となる。
【０１３３】
以上の貨幣処理方法は、現金管理装置４に、複数の出納機２のうち、タグリーダ７０、第１のＩＣタグ８および第２のＩＣタグ８を用いた管理装置制御部２５の判定結果から遠いと判定された遠隔側の出納機２から送信された貨幣処理データを管理装置記憶部２６に記憶させて保留し、当該遠隔側の出納機２が、タグリーダ７０、第１のＩＣタグ８、第２のＩＣタグ８および管理装置制御部２５によって近接側の出納機２に変わったと判定されると、この出納機２に関連して現金管理装置４の管理装置記憶部２６に記憶させていた貨幣処理データに基づいて貨幣処理を行わせる。
【０１３４】
以上に述べた第２実施形態の貨幣処理システム１によれば、現金管理装置４は、遠隔側の出納機２から送信された貨幣処理データに基づいて貨幣処理は可能にはならないものの、この貨幣処理データを管理装置記憶部２６に記憶して保留する。そして、現金管理装置４は、移動させられることにより、遠隔側の出納機２が近接側の出納機２に変わると、この出納機２に関連して管理装置記憶部２６に記憶し保留していた貨幣処理データに基づいて貨幣処理が可能となる。よって、現金管理装置４を移動させ、遠隔側にあった出納機２に近接させて、これを近接側の出納機２に変えることにより、当初遠隔側であった出納機２からの貨幣処理データに基づく貨幣処理が現金管理装置４で可能となる。
【０１３５】
また、第２実施形態の現金管理装置４によれば、遠隔側の出納機２から送信された貨幣処理データに基づいて貨幣処理は可能にはならないものの、この貨幣処理データを管理装置記憶部２６に記憶して保留する。そして、移動させられることにより、遠隔側の出納機２が近接側の出納機２に変わると、この出納機２に関連して管理装置記憶部２６に記憶し保留していた貨幣処理データに基づいて貨幣処理が可能となる。よって、移動させられることにより、遠隔側にあった出納機２に近接させられて、これが近接側の出納機２に変わることにより、当初遠隔側であった出納機２からの貨幣処理データに基づく貨幣処理が可能となる。
【０１３６】
また、第２実施形態の貨幣処理方法によれば、現金管理装置４に、遠隔側の出納機２から送信された貨幣処理データに基づいて貨幣処理を行わせることはないもの、この遠隔側の出納機２から送信された貨幣処理データを管理装置記憶部２６に記憶させて保留する。そして、この遠隔側の出納機２が近接側の出納機２に変わると、この出納機２に関連して現金管理装置４の管理装置記憶部２６に記憶させて保留していた貨幣処理データに基づいて貨幣処理を行わせる。よって、現金管理装置４を移動させ、遠隔側にあった出納機２に近接させて、これを近接側の出納機２に変えることにより、当初遠隔側であった出納機２からの貨幣処理データに基づく貨幣処理が現金管理装置４で可能となる。
【０１３７】
第１実施形態においては、遠隔側の出納機２が、現金管理装置４で受け付けられなかった貨幣処理データを自身の出納機記憶部１７９に記憶するようにし、第２実施形態においては、現金管理装置４が遠隔側の出納機２から送信された貨幣処理データを自身の管理装置記憶部２６に記憶するようにしたが、これらの貨幣処理データを、ネットワークサーバ（記憶手段）等に記憶することも可能である。
【０１３８】
上記の実施形態では、現金管理装置４に設けられたタグリーダ７０は、第１のＩＣタグ８および第２のＩＣタグ８の両方と同時に通信することは距離的に不可能となっている場合を例にとり説明したが、第１の出納機２および第２の出納機２が近くに設置されると、タグリーダ７０が第１のＩＣタグ８および第２のＩＣタグ８と同時に通信可能な状況となる場合もある。この場合には、タグリーダ７０において、第１のＩＣタグ８からの信号の出力が、第２のＩＣタグ８からの信号の出力よりも強いと、現金管理装置４が第１の出納機２に近く、第２の出納機２から遠いと判定し、第２のＩＣタグ８からの信号の出力が、第１のＩＣタグ８からの信号の出力よりも強いと、現金管理装置４が第２の出納機２に近く、第１の出納機２から遠いと判定することになる。
【０１３９】
また、上記の実施形態では、現金管理装置４に設けられたタグリーダ７０と複数の出納機２のそれぞれに設けられたＩＣタグ８とで、現金管理装置４が複数の出納機２のうちのいずれに近いかを判定するようにした。これにかえて、現金管理装置４にＩＣタグを設け、複数の出納機２のそれぞれにタグリーダを設けて、現金管理装置４が複数の出納機２のうちのいずれに近いかを判定するようにしても良い。その場合、出納機２が現金管理装置４に貨幣処理データを送信する場合に、タグリーダで通信可能なＩＣタグを有する現金管理装置４がある場合に、これに貨幣処理データを送信して貨幣処理データに基づく貨幣処理を可能とする。また、タグリーダで通信可能なＩＣタグを有する現金管理装置４がない場合に、送信しようとしていた貨幣処理データを現金管理装置４で受付不可の貨幣処理データとする。
【０１４０】
これら以外にも、例えば、現金管理装置４にキャスタ３８の向きおよび回転を検出する機構を設け、この機構で検出を行いながら、現金管理装置４を予め店舗内で移動させて、店舗内の各出納機２に近接する位置情報をマップ上に載せたデータを作成し、その後、キャスタ３８の向きおよび回転を検出することで、現金管理装置４がいずれの出納機２に近いかを判定するようにしても良い。また、店舗天井の各出納機２の上方位置や各出納機２にＬＥＤランプを設置し、ＬＥＤランプをそれぞれ異なる高周波数で点滅させると共に、現金管理装置４に、近接するＬＥＤランプの周波数を検出する検出装置を設けて、この検出装置が検出した周波数によって現金管理装置４がいずれの出納機２に近いかを判定するようにしても良い。また、可視光通信を採用し、上記設置したＬＥＤランプを高速に点滅させ、光のオン・オフ等に対応させて当該設置位置に対応する出納機２の出納機ＩＤをデジタル伝送し、現金管理装置４にこのデータを受信可能な受信装置を設けるようにしても良い。また、現金管理装置４が店舗内のいずれのエリアにあるかを検出して、いずれの出納機２に近いかを判定するようにしても良い。
【０１４１】
なお、上記各実施形態では、操作者の認証は、磁気カードやＩＣカード等のＩＤカードを用いて行う場合について説明したが、操作者の指紋あるいは静脈等の生体情報を用いた認証手段であってもよいし、これらを併用してもよい。
【符号の説明】
【０１４２】
１  貨幣処理システム
２  出納機（貨幣処理親機）
４  現金管理装置（貨幣処理子機）
８  ＩＣタグ（遠近判定手段）
２５  管理装置制御部（遠近判定手段）
７０  タグリーダ（遠近判定手段）
【図１】
2017138706.tif 000003
【図２】
2017138706.tif 000004
【図３】
2017138706.tif 000005
【図４】
2017138706.tif 000006
【図５】
2017138706.tif 000007
【図６】
2017138706.tif 000008